(57)【要約】【課題】屋根開口部を覆う下部材に対して上部材を間隔をおいて取り付けるようにした構造の換気装置において、防水性の確保を図ると共に低コスト化を図った屋根の換気装置を提供する。【解決手段】下部材１２と上部材１３との間に第１止水部材３７が設けられ、この第１止水部材３７は、下部材１２に取り付けられる下板部４８Ａ，４８Ｂと、上部材１３を取り付けるための上板部４９と、これら上下板部４８Ａ，４８Ｂ，４９を連結しかつ通風口５３Ａ，５３Ｂ，５３Ｃを有する防水壁５０Ａ，５０Ｂ，５０Ｃとを一体形成してなり、下部材１２と第１止水部材３７との間に、屋根流れ方向の両側に上方突出した一対の防水壁４０，４１を有する第２止水部材３８が介在され、第２止水部材３８の一対の防水壁４０，４１間に、第１止水部材３７の下板部４８Ａ，４８Ｂが配置されている。【選択図】      図２
2004360299.tif 000002
【特許請求の範囲】
【請求項１】
屋根（４）の棟部分に屋根開口部（７）が設けられ、この屋根開口部（７）の上方側に該屋根開口部（７）を覆うように下部材（１２）が設けられ、この下部材（１２）の上方側に該下部材（１２）を覆うように上部材（１３）が設けられ、下部材（１２）と上部材（１３）との間に、梁行方向一端側から他端側にわたって空気を流通させると共に棟部分で屋根開口部（７）に連通する換気通路（３１）が形成された屋根の換気装置において、
下部材（１２）と上部材（１３）との間に第１止水部材（３７）が設けられ、この第１止水部材（３７）は、下部材（１２）に取り付けられる下板部（４８Ａ，４８Ｂ）と、上部材（１３）を取り付けるための上板部（４９）と、これら上下板部（４８Ａ，４８Ｂ，４９）を連結しかつ通風口（５３Ａ，５３Ｂ，５３Ｃ）を有する防水壁（５０Ａ，５０Ｂ，５０Ｃ）とを一体形成してなり、
下部材（１２）と第１止水部材（３７）との間に、屋根流れ方向の両側に上方突出した一対の防水壁（４０，４１）を有する第２止水部材（３８）が介在され、第２止水部材（３８）の一対の防水壁（４０，４１）間に、第１止水部材（３７）の下板部（４８Ａ，４８Ｂ）が配置されていることを特徴とする屋根の換気装置。
【請求項２】
前記第１止水部材（３７）の防水壁（５０Ａ，５０Ｂ，５０Ｃ）は、複数個具備され、前記換気通路（３１）を迂回した経路とするように、各防水壁（５０Ａ，５０Ｂ，５０Ｃ）の通風口（５３Ａ，５３Ｂ，５３Ｃ）は、上部材（１３）寄りと下部材（１２）寄りとに順次交互に配置されていることを特徴とする請求項１に記載の屋根の換気装置。
【請求項３】
棟側防水壁（５０Ｃ）の上端から棟側に突出した後に上側に折り返して軒側に延長突出された上折り返し片（４５）と、上折り返し片（４５の軒側端から下側に折り返された下折り返し片（４６）とが、第１止水部材（３７）に設けられ、上部材（１３）と第１止水部材（３８）の上板部（４９）との間に水を侵入させないようにすべく、上止水片（４７）が、下折り返し片（４６）の棟側端から下方突出されて第１止水部材（３７）に一体に具備されていることを特徴とする請求項１に記載の屋根の換気装置。
【発明の詳細な説明】
【０００１】
【発明の属する技術分野】
本発明は、屋根の棟部分に設けられる屋根の換気装置に関するものである。
【０００２】
【従来の技術】
従来、屋根の換気装置として、本願出願人は、図７に示すような換気装置を市場に提供している。
この屋根の換気装置は、屋根の棟部分に屋根開口部６２を設け、この屋根開口部６２の上方側に該屋根開口部６２を覆うように下部材６３を設けると共に、この下部材６３の上方側に該下部材６３を覆うように上部材６４を設け、これら下部材６３と上部材６４との間を、梁行方向一端側から他端側にわたって空気を流通させると共に棟部分で屋根開口部６２に連通する換気通路６５とし、この換気通路６５を介して屋根の内側の換気を図っている。
【０００３】
また、換気通路６５内は、該換気通路６５の空気の出入口６６から吹き込む横風に含まれる雨水等の水が屋根裏にまで達しないように、上部材６４又は下部材６３から突出する複数の防水桟６７を設けて、ラビリンス構造としている。
また、上部材６４と下部材６３との間隔を保持するために、防水桟６７とは別体で形成された支持部材６８を設けている。
また、換気通路をラビリンス構造とするために防水桟を設け、換気通路を形成する上下部材の間隔を保持する支持部材を設けた屋根の換気装置として、特許文献１に記載のものがある。
【０００４】
【特許文献１】
特開２００１−２５４４９２号公報。
【０００５】
【発明が解決しようとする課題】
前記従来の屋根の換気装置にあっては、部品点数が多くコスト高であるという問題がある。
そこで、本発明は、前記問題点に鑑み、屋根開口部を覆う下部材に対して上部材を間隔をおいて取り付けるようにした構造の換気装置において、防水性の確保を図ると共に低コスト化を図った屋根の換気装置を提供することを目的とするものである。
【０００６】
【課題を解決するための手段】
この技術的課題を解決するための本発明の技術的手段は、屋根４の棟部分に屋根開口部７が設けられ、この屋根開口部７の上方側に該屋根開口部７を覆うように下部材１２が設けられ、この下部材１２の上方側に該下部材１２を覆うように上部材１３が設けられ、下部材１２と上部材１３との間に、梁行方向一端側から他端側にわたって空気を流通させると共に棟部分で屋根開口部７に連通する換気通路３１が形成された屋根の換気装置において、
下部材１２と上部材１３との間に第１止水部材３７が設けられ、この第１止水部材３７は、下部材１２に取り付けられる下板部４８Ａ，４８Ｂと、上部材１３を取り付けるための上板部４９と、これら上下板部４８Ａ，４８Ｂ，４９を連結しかつ通風口５３Ａ，５３Ｂ，５３Ｃを有する防水壁５０Ａ，５０Ｂ，５０Ｃとを一体形成してなり、
下部材１２と第１止水部材３７との間に、屋根流れ方向の両側に上方突出した一対の防水壁４０，４１を有する第２止水部材３８が介在され、第２止水部材３８の一対の防水壁４０，４１間に、第１止水部材３７の下板部４８Ａ，４８Ｂが配置されている点にある。
【０００７】
また、本発明の他の技術的手段は、前記第１止水部材３７の防水壁５０Ａ，５０Ｂ，５０Ｃは、複数個具備され、前記換気通路３１を迂回した経路とするように、各防水壁５０Ａ，５０Ｂ，５０Ｃの通風口５３Ａ，５３Ｂ，５３Ｃは、上部材１３寄りと下部材１２寄りとに順次交互に配置されている点にある。
また、本発明の他の技術的手段は、棟側防水壁５０Ｃの上端から棟側に突出した後に上側に折り返して軒側に延長突出された上折り返し片４５と、上折り返し片４５の軒側端から下側に折り返された下折り返し片４６とが、第１止水部材３７に設けられ、上部材１３と第１止水部材３８の上板部４９との間に水を侵入させないようにすべく、上止水片４７が、下折り返し片４６の棟側端から下方突出されて第１止水部材３７に一体に具備されている点にある。
【０００８】
【発明の実施の形態】
以下、本発明を図示の実施の形態に従って説明する。
図１及び図２において、１は桁行方向に設けられた棟木であり、２は棟から軒に向けて設けられた垂木であり、これら棟木１と垂木２とで組み上げた（屋根４の）骨組上に野地板３が張り付けられており、この野地板３の上面側には、アスファルトルーフィング等の防水シート５が敷かれ、その上に化粧スレート板等の屋根材６を葺くことで屋根４が主構成されている。
【０００９】
この屋根４の棟部分には、屋根裏から外部に向けて上下方向に貫通する屋根開口部７が形成されている。この屋根開口部７は、例えば、垂木２，野地板３及び屋根材６等を切り欠いてなり、この屋根開口部７の上方に、棟を挟む一対の屋根面４ａ間に跨るように、且つ屋根開口部７を覆うように換気棟１０が設けられている。
なお、前記屋根開口部７は、屋根４の桁行方向中途部に形成され、換気棟１０で覆われる屋根４の棟部分以外の屋根４の棟部分は棟包み（図示省略）で覆われている。
【００１０】
また、屋根開口部７の梁行方向両縁側には、屋根面４ａを伝って雨水が屋根開口部７から屋根裏に浸入するのを防ぐために、屋根面４ａ側から上方側に延びるように設けられた水切り部材１１が設けられている。
また、以下の説明において、屋根流れ方向での棟側を単に棟側、屋根流れ方向での軒側を単に軒側と呼ぶ。
前記換気棟１０は、防腐加工が施された板金等で形成された下部材１２と上部材１３とを備えており、下部材１２は、屋根開口部７の上方側に配置されていて、棟を挟む一対の屋根面４ａ間に跨るように且つ屋根開口部７を覆うように配置され、上部材１３は、前記下部材１２の上方側に且つ該下部材１２を覆うように（下部材１２に覆い被さるように）配置されている。
【００１１】
前記下部材１２は、図４にも示すように、上壁１６と、この上壁１６の梁行方向（桁行方向に直交する水平方向）の両縁側（上壁１６の両側の軒側の端部）から下方側に（屋根面４ａに向けて）延びる側壁１７と、この各側壁１７の下端から屋根面４ａに沿って梁行方向外方側に延びる設置壁１８とを備えている。
この下部材１２の上壁１６は、梁行方向中央部（屋根４の棟部分）で屈曲されていて屋根面４ａの傾斜に対応する山形状（棟から梁行方向両外方に行くに従って下方に移行する傾斜状）に形成されている。
【００１２】
また、この上壁１６の頂部（梁行方向中央側）には、屋根開口部７に上下方向で対向する（屋根開口部７の上方に位置する）排気口２０が形成されており、この排気口２０は、桁行方向（下部材１２の長手方向）に長い略矩形状に形成されている。
なお、排気口２０は、桁行方向に連続状に形成したものであってもよいし、桁行方向に所定間隔をおいて複数形成してもよく、また、平面形状は矩形状でなくても長円状等どのような形状であってもよい。
【００１３】
この下部材１２は、その設置壁１８が屋根面４ａ上に防水材２４を介して載置され、その上から釘等の固定部材２５を野地板３等に達するまで打ち込むことで、屋根面４ａ上に固定されている。
また、屋根４の上面には、下部材１２の上壁１６の下方側で且つ側壁１７の内方側に配置された固定用金具２１がビス等の固定部材２２によって固定され、この固定用金具２１に、下部材１２の側壁１７がビス等の固定部材２３によって取付固定されている。
【００１４】
上部材１３は、図３にも示すように、上壁２７と、この上壁２７の梁行方向の両縁側（上壁２７の両側の軒側の端部）から下方側に（屋根面４ａに向けて）延びる側壁２８と、この各側壁２３の下端から屋根面４ａに沿って梁行方向内方側に延びるガイド壁２９とを備えている。
この上部材１３の上壁２７は、下部材１２と同様、梁行方向中央部（屋根４の棟部分）で屈曲されていて屋根面４ａの傾斜に対応する山形状（棟から梁行方向両外方に行くに従って下方に移行する傾斜状）に形成されている。
【００１５】
また、この上部材１３の側壁２８は、下部材１２の側壁１７より軒側に位置する。
この上部材１３は、下部材１２との間に一定の空間を保つように、下部材１２の上方に配置されており、かかる上部材１３と下部材１２との間の空間が、梁行方向一端側から他端側にわたって空気を流通させると共に棟部分で屋根開口部７に連通する換気通路３１とされており、上部材１３の側壁２８の下端と屋根面４ａとの間が換気通路３１の空気の出入口３２とされている。
【００１６】
また、下部材１２の桁行方向両側には、図４に示すように、上壁１６の桁行方向の端部から上部材１３の上壁２７の近傍に向けて立ち上がる閉塞板３４が、下部材１２の上壁１６の梁行方向一端から他端にわたって設けられている。
また、上部材１３の桁行方向両側には、図３に示すように、上壁２７の桁行方向端部から下部材１２の上壁１６近傍に向けて垂れ下がる閉塞板３５が、上部材１３の上壁２７の梁行方向一端から他端にわたって設けられており、この閉塞板３５は前記下部材１２に設けられた閉塞板３４の桁行方向の外側に位置されている。
【００１７】
これら閉塞板３４，３５によって、換気通路３１の桁行方向両側端部が塞がれている。
また、下部材１２は棟包みに桁行方向でつき合わせ状に接続されており、この棟包みは、下部材１２の上壁１６、側壁１７、設置壁１８に対応する上壁、側壁及び設置壁を有していて下部材１２と略同じ形状に形成されている。
なお、下部材１２と棟包みとの接続部分の下面側には、これらを接続するため及びこれらの接続部分からの水の侵入を防止するためのジョイントピースが設けられている。
【００１８】
また、図例のものでは、換気棟１０の下部材１２及び上部材１３の上壁１６，２７の勾配は屋根４の勾配に比べて緩やかとなっているが、換気棟１０の下部材１２及び上部材１３の上壁１６，２７の勾配を屋根４の勾配と同じ勾配にしても勿論よい。
換気通路３１内（下部材１２と上部材１３の上壁１６，２７間）には、換気通路３１内をラビリンス（迷路）構造とし且つ下部材１２に対して上部材１３を間隔をおいて（換気通路３１が形成されるように）配置する（取り付ける）ための第１止水部材３７が設けられている。
【００１９】
この第１止水部材３７は、換気通路３１内をラビリンス構造とする機能と、上部材１３の取付部材としての機能とを有し、部品点数削減による換気棟１０の低コスト化が図られている。
この第１止水部材３７は、上部材１３及び下部材１２とは別体で形成され、排気口２０を挟んで梁行方向両側にそれぞれ設けられており、下部材１２及び上部材１３の桁行方向の長さと略同じ長さに形成されている。
下部材１２と第１止水部材３７との間に、第２止水部材３８が介在されている。第２止水部材３８は、図６にも示すように、第１止水部材３７の場合と同様に上部材１３及び下部材１２とは別体に形成され、排気口２０を挟んで梁行方向両側にそれぞれ設けられており、下部材１２及び上部材１３の桁行方向の長さと略同じ長さに形成されている。第２止水部材３８は、下部材１２の上壁１６上に配置された下壁３９と、屋根流れ方向の両側に上方突出した一対の防水壁４０，４１とを有している。
【００２０】
各第１止水部材３７は、図５にも示すように、下部材１２側に取り付けられる下板部４８Ａ，４８Ｂと、上部材１３を取り付けるための上板部４９と、これら上下板部４８Ａ，４８Ｂ，４９を連結し且つ屋根流れ方向で対向する複数の防水壁５０Ａ，５０Ｂ，５０Ｃとを備えている。また、各第１止水部材３７に、棟側の防水壁５０Ｃの上端から棟側に突出した後に上側に折り返して軒側に延長突出された上折り返し片４５と、上折り返し片４５の軒側端から下側に折り返された下折り返し片４６とが、設けられ、上止水片４７が、下折り返し片４６の棟側端から下方突出されて第１止水部材３７に一体に具備されている。上止水片４７は、上部材１３と第１止水部材３７の上板部４９との間に水が侵入しないように止水するようになっている。これら下板部４８Ａ，４８Ｂ、上板部４９、防水壁５０Ａ，５０Ｂ，５０Ｃ、上折り返し片４５、下折り返し片４６及び上止水片４７（各第１止水部材３７）は、板材を折曲等することにより一体形成されている。
【００２１】
各第１止水部材３７の防水壁５０Ａ，５０Ｂ，５０Ｃは、屋根流れ方向に間隔をおいて対向配置されて、軒側（屋根流れ方向下側）の防水壁５０Ａには、下部側（下部材１２寄り）に空気を流通させる通風口５３Ａが設けられ、中央側の防水壁５０Ｂには、上部側（上部材１３寄り）に空気を流通させる通風口５３Ｂが設けられ、棟側（屋根流れ方向上側）の防水壁５０Ｃには、下部側（下部材１２寄り）に空気を流通させる通風口５３Ｃが設けられている。即ち、各防水壁５０Ａ，５０Ｂ，５０Ｃの通風口５３Ａ，５３Ｂ，５３Ｃは、上部材寄りと下部材寄りとに順次交互に配置され、排気通路３１を迂回した経路としている。
【００２２】
上板部４９は、防水壁５０Ａ，５０Ｂの上端部同志を連結しており、該上板部４９にはナット部材５１が設けられ、上部材１３の上壁２７、上折り返し片４５及び上板部３９を上部材１３の上壁２７の上方側から貫通し且つ前記ナット部材５１に螺合するビス等の固定部材５２によって上板部４９に上部材１３が取付固定されている。
下板部４８Ａは、軒側の防水壁５０Ａの下端から下部材１２の上壁１６に沿って且つ該上壁１６の軒側端部（屋根流れ方向の下側端部側）に向けて延出され、下板部４８Ｂは、下部材１２の上壁１６に沿って配置され且つ中央の防水壁５０Ｂの下端と棟側の防水壁５０Ｃの下端とを連結している。
【００２３】
第２止水部材３８の一対の防水壁４０，４１間に、第１止水部材３７の下板部４８Ａ，４８Ｂが配置されている。これら下板部４８Ａ，４８Ｂと第２止水部材３８の下壁３９とは、リベット等の固定部材５５によって下部材１２の上壁１６に取付固定されている。
第２止水部材３８の一対の防水壁４０，４１は第２止水部材３８の長さ方向にわたって設けられており、また、これら防水壁４０，４１の上端部は、下部材１２と上部材１３との上壁１６，２７間の中途部に位置していて、各立上板部４６，４７の上端部と上部材１３の上壁２７との間が空気流通用の開口５８，５９とされている。
【００２４】
また、各防水壁４０，４１の上端部には、該上端部から軒側に突出する風きり部６０，６１が第２止水部材３８の長さ方向にわたって一体形成されている。
また、軒側の防水壁４０の風きり部６０は、上部材１３のガイド壁２９よりも高い位置に位置する。
前記構成の換気棟１０にあっては、屋根裏からの空気は、図１に矢印ａで示す如く、屋根開口部７及び排気口２０を通って換気通路３１に侵入し、第１止水部材３７及び第２止水部材３８を、棟側から軒側へと上下に蛇行して通過し、換気通路３１の出入口３２から外部に排気される。
【００２５】
また、外部からは、換気通路３１の出入口３２から梁行方向の横風が入ることがあると共に、この横風と一緒に雨水等の水が入ることがあるが、この出入口３２から換気通路３１に侵入した外部の風は、下部材１２の側壁１７外面及び第２止水部材３８の軒側の防水壁４０外面に沿って上方に向き変更すると共に風きり部６０にガイドされて軒側に向き変更し、該風きり部６０の軒側端部を迂回し且つ軒側の防水壁４０を越えて棟側へと流れる。
したがって、風きり部６０が換気通路３１の出入口３２から侵入する風の流通の抵抗となり、該風きり部６０によって換気通路３１の出入口３２から侵入する風の勢いが抑制されるようになっている。
【００２６】
このように、風きり部６０によって換気通路３１の出入口３２から侵入する風の勢いを抑制することにより、雨水等の侵入を換気通路３１の出入口３２の内側付近で確実に防止し、換気通路３１への水の侵入を防止できる。
また、軒側の防水壁４０を越えて棟側に流れる空気は、上止水片４７にガイドされて下方側に案内され、上止水片４７によって、上部材１３の上壁２７と第１止水部材３７の上板部４９との間に水が侵入しないように止水する。
また、軒側の防水壁４０を越えて棟側に流れる空気は、軒側の防水壁５０Ａにガイドされて下方側に案内され、該軒側の防水壁５０Ａの通風口５３Ａを通過し、その後、中央の防水壁５０Ｂにガイドされて上方側に案内され、該中央の防水壁５０Ｂの通風口５３Ｂを通過し、その後、棟側の防水壁５０Ｃにガイドされて下方側に案内され、該棟側の防水壁５０Ｃの通風口５３Ｃを通過する。
【００２７】
そして、第１止水部材３７の下側（第１止水部材の下板部４８Ａ，４８Ｂと下部材１２の上壁１６との間）を抜ける水を、第２止水部材３８の下壁３９で受けて防水壁４１で堰き止めることができ、これにより防水効果を向上させることができる。
また、通風口５３Ｃを通過した空気は、第２止水部材３８の防水壁４１を越えて排気口２０側へと流れる場合があるが、このとき、前記通風口５３Ｃを通過した空気は防水壁４１及び風きり部６１によって風の勢いが抑制され、出入口３２から侵入した横風がここまで達したとしても、排気口２０及び屋根開口部７を介しての屋根裏側への水の侵入を確実に防止する。
【００２８】
なお、前記風きり部６０，６１は、排気口から出入口へと流れる排気空気に対しては、抵抗とはならない。
また、本実施の形態にあっては、上部材１３の側壁２８下端に設けられた、棟側に向けて延びるガイド壁２９によって、換気通路３１の出入口３２を介して外部から屋根面４ａに沿って侵入する風を、棟側の防水壁４０の風きり部６０の下方側へと案内でき、これによって、前述した風の勢いの抑制効果を高めることができる。
【００２９】
前記構成の換気棟１０を取り付ける場合、例えば、まず、該換気棟１０を設置する部分以外の部分に棟包みを取り付けると共に、屋根面４ａ上に固定用金具２１を固定し、次に、下部材１２を一対の屋根面４ａ，４ａ間に跨らせ且つ棟包みに接続されるように配置する。このとき、第２止水部材３８及び第１止水部材３７を、予め、下部材１２に取り付けておく。
そして、下部材１２の設置壁１８を屋根面４ａ上に固定すると共に固定用金具２１に下部材１２の側壁１７を固定し、その後、上部材１３を下部材１２に被せて第１止水部材３７に取付固定する。
【００３０】
なお、前記実施の形態では、第１止水部材３７は、２個の下板部４８Ａ，４８Ｂと、１個の上板部４９と、３個の防水壁５０Ａ，５０Ｂ，５０Ｃとを具備しているが、これに代え、第１止水部材３７に、１個又は３個以上の下板部を具備させるようにしてもよいし、第１止水部材３７に、２個以上の上板部を具備させるようにしてもよいし、第１止水部材３７に、１個、２個又は４個以上の防水壁を具備させるようにしてもよい。
【００３１】
【発明の効果】
本発明によれば、第１止水部材は換気通路をラビリンス構造とする機能と、上部材の取付部材としての機能とを有し、部品点数削減による換気装置の低コスト化を図ることができる。
しかも、第１止水部材と下部材との間を抜ける水を、第２止水部材で受けて堰き止めることができ、これにより防水効果を向上させることができる。
【図面の簡単な説明】
【図１】本発明の一実施の形態を示す換気装置の概略断面図である。
【図２】同換気装置の拡大断面図である。
【図３】同上部材の斜視図である。
【図４】同下部材の斜視図である。
【図５】同第１止水部材の斜視図である。
【図６】同第２止水部材の斜視図である。
【図７】従来例を示す換気装置の断面図である。
【符号の説明】
４        屋根
７        屋根開口部
１２        下部材
１３        上部材
３１        換気通路
３７        第１止水部材
３８        第２止水部材
４０        防水壁
４１        防水壁
４５        上折り返し片
４６        下折り返し片
４７        上止水片
４８Ａ，Ｂ  下板部
４９        上板部
５０Ａ〜Ｃ  防水壁
５３Ａ〜Ｃ  通風口
【図１】
2004360299.tif 000003
【図２】
2004360299.tif 000004
【図３】
2004360299.tif 000005
【図４】
2004360299.tif 000006
【図５】
2004360299.tif 000007
【図６】
2004360299.tif 000008
【図７】
2004360299.tif 000009